(57)【要約】【課題】被写体画像を取得したその場で被写体画像の傾斜補正等の加工ができるデジタルカメラを提供すること。【解決手段】撮影光学系を介して被写体像を撮像する撮像装置と、前記撮像装置で撮像された被写体画像を処理する画像処理手段と、前記画像処理手段で処理された前記被写体画像を表示する表示装置と、前記表示装置上で座標を指定する座標指定手段と、前記座標指定手段により指定された少なくとも２点で決められる基準に基づき、前記被写体画像を補正した補正画像を形成する制御装置９と、を有することを特徴とするデジタルカメラ１。【選択図】図２
2010011177.tif 000002
【特許請求の範囲】
【請求項１】
撮影光学系を介して被写体像を撮像する撮像装置と、
前記撮像装置で撮像された被写体画像を処理する画像処理手段と、
前記画像処理手段で処理された前記被写体画像を表示する表示装置と、
前記表示装置上で座標を指定する座標指定手段と、
前記座標指定手段により指定された少なくとも２点で決められる基準に基づき、前記被写体画像を補正した補正画像を形成する制御装置と、を有することを特徴とするデジタルカメラ。
【請求項２】
前記補正画像は、前記基準に基づき前記被写体画像の傾きを補正した傾斜補正画像を含むことを特徴とする請求項１に記載のデジタルカメラ。
【請求項３】
前記補正画像は、前記基準に基づき前記被写体画像の所定範囲をトリミングしたトリミング補正画像を含むことを特徴とする請求項１に記載のデジタルカメラ。
【請求項４】
前記トリミング補正画像は、前記表示装置上に表示された前記傾斜補正画像の周辺に存在する画像欠け部分に内接する四角形で形成されることを特徴とする請求項１または２に記載のデジタルカメラ。
【請求項５】
前記被写体画像を記憶する記憶手段を有し、
前記制御部は、前記補正画像および前記トリミング画像を形成した時の補正値を前記記憶手段に記憶し、前記被写体画像の補正時に使用することを特徴とする請求項１から４のいずれか１項に記載のデジタルカメラ。
【請求項６】
前記制御装置は、前記補正画像および前記トリミング補正画像を記憶する際、前記被写体画像とは異なる画像データとして前記記憶手段に記憶させることを特徴とする請求項１から５のいずれか１項に記載のデジタルカメラ。
【請求項７】
前記座標指定手段は、タッチセンサーを含むことを特徴とする請求項１から６のいずれか１項に記載のデジタルカメラ。
【発明の詳細な説明】
【技術分野】
【０００１】
本発明は、デジタルカメラに関する。
【背景技術】
【０００２】
従来、被写体をデジタルカメラで撮影する際、意図せずに被写体が傾いて撮影されることがある。このような傾いて撮影された被写体画像の補正は、パーソナルコンピュータ（ＰＣ）や電子フォトアルバムに当該画像を転送したのち、画像処理ソフト等で傾き補正を行うことが知られている（例えば、特許文献１参照）。
【特許文献１】特開２００６−２００６５号公報
【発明の開示】
【発明が解決しようとする課題】
【０００３】
このように撮影された被写体画像の傾斜補正は、ＰＣや電子フォトアルバム等のデジタルカメラとは別体の装置で行う必要があり、従来のデジタルカメラでは、被写体画像を取得したその場で傾斜補正等の画像処理ができないと言う問題がある。
【課題を解決するための手段】
【０００４】
上記課題を解決するため、本発明は、撮影光学系を介して被写体像を撮像する撮像装置と、前記撮像装置で撮像された被写体画像を処理する画像処理手段と、前記画像処理手段で処理された前記被写体画像を表示する表示装置と、前記表示装置上で座標を指定する座標指定手段と、前記座標指定手段により指定された少なくとも２点で決められる基準に基づき、前記被写体画像を補正した補正画像を形成する制御装置と、を有することを特徴とするデジタルカメラを提供する。
【発明の効果】
【０００５】
本発明によれば、被写体画像を取得したその場で被写体画像の傾斜補正等の加工ができるデジタルカメラを提供することができる。
【発明を実施するための最良の形態】
【０００６】
以下、本発明の実施の形態に係るデジタルカメラについて図面を参照しつつ説明する。なお、以下の実施の形態は、発明の理解の容易化のためのものに過ぎず、本発明の技術的思想を逸脱しない範囲において当業者により実施可能な付加・置換等を施すことを排除することは意図していない。
【０００７】
図１は、実施の形態に係るデジタルカメラの概略断面構成図である。図２は、実施の形態に係るデジタルカメラの背面図である。図３は、実施の形態に係るデジタルカメラで撮影しデジタルカメラの背面に配置された表示装置に画像を表示している一例を示す。
【０００８】
図１において、デジタルカメラ１（以後、単にカメラと記す）は、カメラ本体２にマウント部３を介して着脱可能な交換レンズ４とから構成されている。なお、以下の説明では一眼レフカメラを代表として説明するが、一眼レフカメラに限らずコンパクトカメラにも本実施の形態を適用可能であることは言うまでもない。
【０００９】
不図示の被写体からの光は交換レンズ４を介してカメラ本体２に入射し、クイックリターンミラー５で正立プリズム６方向に反射され、正立プリズム６で正立化されファインダ７を介して撮影者に視認可能になる。撮影者は、ファインダ７で被写体を見ながら撮影構図を決め、構図が決まったのちに不図示のレリーズボタンを押す（全押し）ことでクイックリターンミラー５が光路中から退避し、不図示のシャッタが動作してＣＣＤ等の撮像素子８で被写体像が撮像される。なお、シャッタは機械的な構成でも電子的な構成でも良い。
【００１０】
撮像された被写体像の信号は、制御部９（以後、ＣＰＵと記す）の指示により撮像素子８から画像処理部１０に出力され、画像処理部１０で画像処理されたのちＣＰＵ９を介して液晶等の表示部１１に被写体画像Ｓ１として表示される（図２参照）。また、被写体画像Ｓ１は、メモリ１２に記録保存される。なお、メモ１２は内蔵メモリでも、交換可能なメモリでも良い。
【００１１】
また、表示部１１の表面には後述する傾斜補正に使用するタッチセンサー１３が配設されている。
【００１２】
また、図２に示すように、カメラ本体２の背面には、ファインダ７、タッチセンサー１３を含む表示部１１のほかに、カメラ１の各種機能設定に用いられる操作部材１４、１５、および１６等が配設されている。また、カメラ本体２の底部には、タッチセンサー１３を操作するためのスタイラス１７が収納可能に構成されている。
【００１３】
図３は、カメラ１で走行中の自動車Ａを撮影した画像を表示部１１に表示した状態を示している。撮影者が走行している自動車Ａを慌てて撮影したため、路面Ｂのみならず背景の立木Ｃも傾斜して撮影されている。この場面では、路面Ｂは水平であり立木Ｃも垂直であるにもかかわらず、撮影者がカメラ１を傾けて撮影したため傾斜した画像が得られている。
【００１４】
従来、このような傾斜画像の傾き補正は、メモリ１２に保存されている画像をＰＣや既知の電子フォトアルバムに取り込み、ＰＣの画像修正ソフトや電子フォトアルバムで傾斜を修正処理する必要がある。このため、補正画像を得るまでに時間がかかり即時性を損なう等の問題がある。
【００１５】
本実施の形態に係るカメラ１は、被写体を撮影したその場で画像を表示部１１で視認し、表示部１１を使用して傾斜補正をすることができるデジタルカメラ１を提供する。以下、実施の形態に係るカメラ１における被写体画像の傾斜補正について図面を参照しつつ説明する。
【００１６】
図４は、傾斜補正前後の表示画像の一例を示し、（ａ）は、傾斜補正前の被写体画像を、（ｂ）は傾斜補正後の補正画像をそれぞれ示す。
【００１７】
図４（ａ）において、撮影者は、表示部１１上に傾斜した被写体画像Ｓ１の傾斜補正の基準となる基準線を設定する。被写体画像Ｓ１では路面Ｂが水平であることが分かっているので、これを基準に用いる。
【００１８】
撮影者は、表示部１１のタッチセンサー１３をスタイラス１７でタッチして座標指定する。図４（ａ）では、撮影者が水平であるはずの路面Ｂの２箇所ｂ１、ｂ２をスタイラス１７でタッチする。なお、スタイラス１７に限らず指先でｂ１、ｂ２をタッチしても良い。
【００１９】
ＣＰＵ９は、タッチセンサー１３上の第１位置ｂ１および第２位置ｂ２の座標を取得し、直線ｂ１−ｂ２を基準線と決定する。その後、ＣＰＵ９は、基準線ｂ１−ｂ２が表示部１１上で水平になるように被写体画像Ｓ１を回転する処理を画像処理部１０に指示する。画像処理部１０は被写体画像Ｓ１を所定量回転して得られた、傾斜補正画像Ｓ２をＣＰＵ９を介して表示部１１に表示すると共にメモリ１２に記憶する。
【００２０】
なお、メモリ１２に記憶するとき、元の被写体画像Ｓ１のデータに上書き保存しても良いし、元の被写体画像Ｓ１のデータとは異なる名称で保存することもできる。なお元の被写体画像Ｓ１のデータを残しておくことで、何度でも傾斜補正処理を行い傾斜補正画像Ｓ２のデータを形成し保存することができる。
【００２１】
また、被写体画像Ｓ１の傾斜補正は、既存の方式、ソフトを活用することで実行する。また、基準線ｂ１−ｂ２は、水平線に限らず、表示部１１の垂直方向の２点を指定して垂直基準線とすることもできる。垂直基準線を使用するのは、被写体画像Ｓ１に垂直な建物や立木などがある場合に適用することができる。また、路面８とは異なる基準線を設定することで、被写体画像Ｓ１をより傾斜させた傾斜補正画像Ｓ２にすることもできる。
【００２２】
図４（ｂ）に示すように、傾斜補正後の傾斜補正画像Ｓ２は、表示部１１の四隅に傾斜補正によって発生する画像の欠け部ｘ１、ｘ２、ｘ３、ｘ４が存在している。これは、被写体画像Ｓ１は表示部１１の画面と一致するように構成されており、傾斜補正した結果四隅に画像データの無い部分が発生し表示部１１に表示されてしまうことによる。
【００２３】
図４（ｂ）に示す傾斜補正画像Ｓ２は傾斜が修正された画像となっているが、四隅ｘ１、ｘ２、ｘ３、ｘ４が欠けているので見栄えが悪い。そこで、実施の形態に係るカメラ１では、ＣＰＵ９が以下で説明するトリミング処理により四隅の欠け部ｘ１〜ｘ４を表示部１１に表示されないようにすることで画像の見栄えを良くしている。
【００２４】
図５は、傾斜補正画像にトリミングを施した表示画像の一例を示し、（ａ）はトリミング前の補正画像を、（ｂ）はトリミング後の補正画像をそれぞれしめす。
【００２５】
ＣＰＵ９は、傾斜補正画像Ｓ２に対して、図５（ａ）に示すように四隅の欠け部ｘ１、ｘ２、ｘ３、ｘ４に内接する四角形領域Ｓ３を検出する。四角形領域Ｓ３を検出した後、さらにＣＰＵ９は、図５（ｂ）に示すように四角形領域Ｓ３が表示部１１の全画面に表示されるように画像処理を行い、四角形画像Ｓ３をトリミング補正画像Ｓ３として表示部１１に表示する。この際、トリミング補正画像Ｓ３は傾斜補正画像Ｓ２に対して拡大された画像となる。これにより、ＣＰＵ９は、図4（ａ）に示す被写体画像Ｓ１を図５（ｂ）に示すトリミング補正画像Ｓ３に補正して表示部１１に表示することができる。
【００２６】
撮影者は、表示部１１に表示されたトリミング補正画像Ｓ３を見て、傾斜補正およびトリミング処理が希望通り行われたかを確認することができる。撮影者は、所望のトリミング補正画像Ｓ３が得られたら、トリミング補正画像Ｓ３をメモリ１２に記憶する。
【００２７】
なお、メモリ１２に記憶するとき、元の被写体画像Ｓ１のデータに上書き保存しても良いし、元の被写体画像Ｓ１のデータとは異なる名称で保存することもできる。なお元の被写体画像Ｓ１のデータを残しておくことで、何度でも傾斜補正後のトリミング処理を行ったトリミング補正画像Ｓ３を形成し保存することができる。
【００２８】
また、ＣＰＵ９は上記傾斜補正やトリミング処理時に用いた補正値（例えば、回転角、トリミング位置、拡大率等）をメモリ１２に保存しておき、被写体撮影後の各補正時にこれらの値を参照して使用しても良い。
【００２９】
以上述べたように、実施の形態にかかるカメラ１では、撮影した被写体画像の傾きを任意に変更した補正画像を得ることができる。これにより、現実の被写体とほぼ等しい傾きの補正画像を得ることもできるし、被写体をより一層傾けた画像を得ることもできる。より傾けることで面白い効果を有する画像を得ることができる。
【００３０】
また、補正画像にトリミング処理を行うことで、四隅の欠けを除去した補正画像を得ることができる。
【００３１】
また、実施の形態にかかるカメラは、傾斜補正を用いて積極的に画像を傾けたり、トリミング処理により画像を任意に拡大したりすることもできる。
【００３２】
なお、上記説明では、撮像した被写体画像に傾斜補正を行い、その後トリミング処理を行う場合について説明したが、トリミング処理を行った後に傾斜補正を行うこともできる。この場合、トリミング処理は撮影者が表示部１１上で３つの位置を指定することで所望の四角形範囲を決定する。その後撮影者が２つの点を指定して基準線を決定し、この基準線に基づき傾斜補正をする。これで図５（ｂ）と同様の画像を得ることができる。このとき、トリミング領域の外側の画像データが存在する場合には、四隅の欠け部のない画像が得られる。
【００３３】
また、上記実施の形態では、スタイラス１７でタッチセンサー１３上の２点を選択することで基準線を指定する場合について述べたが、２点の選択を表示部１１にポインタ（例えば、矢印など）を表示し操作部材１６のＸＹ操作ボタンで移動し、操作部材１５の決定ボタンで選択するように構成することも可能である。
【図面の簡単な説明】
【００３４】
【図１】実施の形態に係るデジタルカメラの概略断面構成図である。
【図２】実施の形態に係るデジタルカメラの背面図である。
【図３】実施の形態に係るデジタルカメラで撮影しデジタルカメラの背面に配置された表示装置に画像を表示している一例を示す。
【図４】傾斜補正前後の表示画像の一例を示し、（ａ）は、傾斜補正前の被写体画像を、（ｂ）は傾斜補正後の補正画像をそれぞれ示す。
【図５】補正画像にトリミングを施した表示画像の一例を示し、（ａ）はトリミング前の補正画像を、（ｂ）はトリミング後の補正画像をそれぞれしめす。
【符号の説明】
【００３５】
１    デジタルカメラ（カメラ）
２    カメラ本体
３    マウント部
４    交換レンズ（撮影レンズ）
５    クイックリターンミラー
６    正立プリズム
７    ファインダ
８    撮像素子
９    制御部（ＣＰＵ）
１０  画像処理部
１１  表示部
１２  メモリ
１３  タッチセンサー
１４、１５、１６  操作部材
１７  スタイラス
Ｓ１  被写体画像
Ｓ２  傾斜補正画像
Ｓ３  トリミング補正画像
ｘ１〜ｘ４  欠け部
【図１】
2010011177.tif 000003
【図２】
2010011177.tif 000004
【図３】
2010011177.tif 000005
【図４】
2010011177.tif 000006
【図５】
2010011177.tif 000007